【手続補正書】
【提出日】平成15年5月20日(2003.5.20)
【手続補正１】
【補正対象書類名】明細書
【補正対象項目名】特許請求の範囲
【補正方法】変更
【補正の内容】
【特許請求の範囲】
【請求項１】
輪転印刷機の胴（０１）上で少なくとも１つのフレキシブルな胴張り（０４）の少なくとも１つの前端部（０６）と少なくとも１つの後端部（０７）とを、版胴（０１）の外周面（０２）に向かって開放する開口（０８）を備えた、軸方向に延びる少なくとも１つの通路（０３）内で固定するための装置であって、前端部（０６）が鋭角に折り曲げられていて、形状結合によって、外周面（０２）に向かって鋭角に延びる第１の通路壁（０９）と外周面（０２）とによって形成された突起（１１）に取り付けられるようになっており、前記通路（０３）内に固定装置（１６）が配置されていて、該固定装置（１６）が、曲げに対して強い旋回可能な一腕状のレバー（１７）と少なくとも１つのばね（２４）とを有しており、該ばね（２４）によってレバー（１７）が緊締位置（Ａ）で後端部（０７）に当て付けられるようになっている形式のものにおいて、
通路（０３）内に、長手方向に対して垂直な断面図で見て、１つだけのレバー（１７）を備えた単独の固定装置（１６）が設けられており、該レバー（１７）が、前記通路（０３）の開口（０８）とは反対側に位置する、固定装置（１６）をほぼ完全に収容するベース体（１３）の壁部（１８）の領域内で支承されていることを特徴とする、胴張りを固定するための装置。
【請求項２】
レバー（１７）が、旋回中に胴（０１）に関連して定置で、少なくとも仮想の旋回軸線（Ｓ）を中心にして旋回可能である、請求項１記載の装置。
【請求項３】
胴張りの前端部（０６）に対応配置された第１の通路壁（０９）と外周面（０２）との間の鋭角の角度（α）、並びに前端部（０６）の折り曲げ部の鋭角の角度が、それぞれ３０゜〜６０゜の間である、請求項１記載の装置。
【請求項４】
輪転印刷機の胴（０１）上で少なくとも１つのフレキシブルな胴張り（０４）の少なくとも１つの前端部（０６）と少なくとも１つの後端部（０７）とを、軸方向に延びる少なくとも１つの通路（０３）内で固定するための装置であって、前端部（０６）が、通路壁（０９）と胴（０１）の外周面（０２）とによって形成された鋭角の突起（１１）に形状結合によって取り付けられるようになっており、後端部（０７）が、一腕状のレバー（１７）を用いて、ばね（２４）のばね力によって、胴（０１）の外周面（０２）に対してほぼ垂直に位置する、通路（０３）の壁部（１１）に対して緊締可能であって、前記レバー（１７）が操作装置（２４）の負荷によって圧力媒体で前端部（０７）から解除可能である形式のものにおいて、
一腕状のレバー（１７）が通路（０３）の壁部（３６）の領域内で旋回可能に支承されていて、圧力媒体負荷可能な操作装置（２４）が通路（０３）の内部に配置されていることを特徴とする、胴張りを固定するための装置。
【請求項５】
旋回軸線（Ｓ）が、胴（０１）の内部で広がっている通路（０３）の壁部の領域内に位置している、請求項４記載の装置。
【請求項６】
旋回軸線（Ｓ）が、固定装置（１６）を受容するベース体（１３）の壁部（１８）の領域内に位置している、請求項２記載の装置。
【請求項７】
旋回軸線（Ｓ）が、旋回中に胴（０１）に関連して定置である、請求項３又は５記載の装置。
【請求項８】
ばね（２４）が圧縮コイルばね（２４）として構成されている、請求項１又は４記載の装置。
【請求項９】
圧縮コイルばね（２４）の中心軸線（Ｆ）と、一腕状のレバー（１７）の旋回軸線（Ｓ）から一腕状のレバー（１７）の緊締面（２３）の中央までの接続ライン（Ｖ）との交点が、接続ライン（Ｖ）の長さの少なくとも半分だけ、旋回軸線（Ｓ）から間隔を保って位置している、請求項８記載の装置。
【請求項１０】
外周面（０２）と、後端部（０７）に対応配置された通路壁（１２）とによって形成された角度（β）が、８５゜〜９５゜の間である、請求項１又は４記載の装置。
【請求項１１】
後端部（０７）がほぼ直角に折り曲げられている、請求項１又は４記載の装置。
【請求項１２】
固定装置（１６）が、圧力媒体で負荷可能な、リバーシブルに変形可能な中空体（２６）によって後端部（０７）から離反可能である、請求項１記載の装置。
【請求項１３】
通路（０３）が外周面（０２）の領域で、５ｍｍより小さい周方向の幅（ｂ０８）を備えたギャップ（０８）を有している、請求項１又は４記載の装置。
【請求項１４】
通路（０３）が外周面（０２）の領域内で、３ｍｍと同じであるか又はこれより小さい幅（ｂ０８）を備えたギャップ（０８）を有している、請求項１又は４記載の装置。
【請求項１５】
固定装置（１６）がほぼ完全に管状のベース体（１３）内に収容されていて、かつ圧力媒体で負荷可能なリバーシブルに変形可能な中空体（２６）が半径方向で完全に管状のベース体（１３）内に収容されており、該ベース体（１３）が、胴張りの両端部（０６；０７）に向いた側で少なくとも１つの切欠（１４）を有している、請求項１１記載の装置。
【請求項１６】
レバー（１７）が、胴（０１）の内部で広がっている通路（０３）の壁部（３６）の溝（３７）内に配置されていて、中空体（２６）がレバー（１７）と通路（０３）の壁部（３６）との間で支えられて配置されている、請求項４記載の装置。
【請求項１７】
中空体（２６）が、レバー（１７）と、該レバー（１７）と壁部（３６）との間に配置された、通路（０３）の対応受け（２７）との間で、支えられて配置されている、請求項４記載の装置。
【請求項１８】
レバー（１７）の、中空体（２６）とは反対側に、少なくとも１つのばね（２４）が固定されている、請求項４又は１６記載の装置。
【請求項１９】
ベース体（１３）が、軸方向に並んで配置された複数の固定装置（１６）と、圧力媒体で負荷可能なリバーシブルに変形可能な単数又は複数の中空体（２６）とを有している、請求項１記載の装置。
【請求項２０】
通路（０３）が、軸方向で並んで配置され、それぞれ少なくとも１つの固定部材（１６）を有する複数のベース体（１３）を有している、請求項１記載の装置。
【請求項２１】
通路（０３）内に、軸方向で並んで配置された複数のレバー（１７）と、圧力媒体で負荷可能なリバーシブルに変形可能な単数又は複数の中空体（２６）が配置されている、請求項４又は１６記載の装置。
【請求項２２】
通路（０３）内に、圧力媒体で負荷可能なリバーシブルに変形可能な中空体（２６）に供給するための少なくとも１つのガイド（３４）が配置されている、請求項１６，１８又は１９のいずれか１項記載の装置。
【請求項２３】
前記ガイド（３４）が管状のベース体（１３）内に配置されている、請求項２２記載の装置。
【請求項２４】
固定部材（１６）の緊締面（２３）が、後端部（０７）を備えた対応受けとして、通路壁（１２）と摩擦結合的に協働する、請求項１記載の装置。
【請求項２５】
固定部材（１６）の緊締面（２３）が、後端部（０７）を備えた対応受けとして、管状のベース体（１３）の一部と摩擦結合的に協働する、請求項１記載の装置。
【請求項２６】
作用方向（Ｆ）を有する圧縮コイルばね（２４）が、胴張りの後端部（０７）に対応配置された通路壁（１２）に対する垂線から、大きくとも±１５゜だけずらして配置されている、請求項８記載の装置。
【請求項２７】
装着作業中に、固定装置（１６）が固定位置（Ｂ）を有しており、該固定位置（Ｂ）内で後端部（０７）が解放され、前端部（０６）が固定装置（１６）によって解除に抗して摩擦結合的に、前端部（０６）に対応配置された通路壁（０９）で保持されている、請求項１又は４記載の装置。